(57)【要約】【課題】携帯電話機に登録されている最新の電話帳データを適切にハンズフリー機能付き車載装置に反映させて利便性を高める。【解決手段】車載ハンズフリー装置２は、ＢＴインタフェース部５と携帯電話機３との間でハンズフリー通話を実現するためのハンズフリー・プロファイル（ＨＦＰ）及び電話帳データの転送を実現するためのフォンブック・アクセス・プロファイル（ＰＢＡＰ）以外にメール転送を実現するためのメッセージ・アクセス・プロファイル（ＭＡＰ）をも同時接続する場合に、ＨＦＰの接続処理を完了した後にＭＡＰの接続処理を挟むことなくＰＢＡＰの接続処理を開始する。【選択図】図１
2010187289.tif 000002
【特許請求の範囲】
【請求項１】
携帯電話機との間でハンズフリー通話を実現するためのハンズフリー通話プロトコルと携帯電話機からハンズフリー機能付き車載装置への電話帳データの転送を実現するための電話帳データ転送プロトコルとを同時接続可能な接続手段と、
前記接続手段と携帯電話機との間の通信プロトコルの接続及び切断を制御する制御手段とを備え、
前記制御手段は、前記接続手段と携帯電話機との間でハンズフリー通話プロトコルと電話帳データ転送プロトコルとを接続する場合に、ハンズフリー通話プロトコルの接続処理を完了した後に電話帳データ転送プロトコルを除く他のプロトコルの接続処理を挟むことなく電話帳データ転送プロトコルの接続処理を開始することを特徴とするハンズフリー機能付き車載装置。
【請求項２】
請求項１に記載したハンズフリー機能付き車載装置において、
前記接続手段は、携帯電話機との間でハンズフリー通話プロトコルと電話帳データ転送プロトコルとに加えて携帯電話機からハンズフリー機能付き車載装置への電子メールの転送を実現するためのメール転送プロトコルをも同時接続可能であり、
前記制御手段は、前記接続手段と携帯電話機との間でハンズフリー通話プロトコルと電話帳データ転送プロトコルとメール転送プロトコルとを接続する場合に、ハンズフリー通話プロトコルの接続処理を完了した後に電話帳データ転送プロトコルを除く他のプロトコルの接続処理を挟むことなく電話帳データ転送プロトコルの接続処理を開始し、電話帳データ転送プロトコルの接続処理を完了した後にメール転送プロトコルの接続処理を開始することを特徴とするハンズフリー機能付き車載装置。
【請求項３】
請求項２に記載したハンズフリー機能付き車載装置において、
前記制御手段は、前記接続手段と携帯電話機との間で接続しているハンズフリー通話プロトコルと電話帳データ転送プロトコルとメール転送プロトコルとを切断する場合に、ハンズフリー通話プロトコルの切断処理を完了した後にメール転送プロトコルを除く他のプロトコルの接続処理を挟むことなくメール転送プロトコルの切断処理を開始し、メール転送プロトコルの切断処理を完了した後に電話帳データ転送プロトコルの切断処理を開始することを特徴とするハンズフリー機能付き車載装置。
【請求項４】
請求項２に記載したハンズフリー機能付き車載装置において、
前記制御手段は、前記接続手段と携帯電話機との間で接続しているハンズフリー通話プロトコルと電話帳データ転送プロトコルとメール転送プロトコルとを切断する場合に、メール転送プロトコルの切断処理を完了した後にハンズフリー通話プロトコルを除く他のプロトコルの接続処理を挟むことなくハンズフリー通話プロトコルの切断処理を開始し、ハンズフリー通話プロトコルの切断処理を完了した後に電話帳データ転送プロトコルの切断処理を開始することを特徴とするハンズフリー機能付き車載装置。
【発明の詳細な説明】
【技術分野】
【０００１】
本発明は、携帯電話機との間でハンズフリー通話を実現するためのハンズフリー通話プロトコルと携帯電話機からハンズフリー機能付き車載装置への電話帳データの転送を実現するための電話帳データ転送プロトコルとを同時接続可能に構成されているハンズフリー機能付き車載装置に関する。
【背景技術】
【０００２】
車室内における携帯電話機の主たる用途としてハンズフリー通話があり、Ｂｌｕｅｔｏｏｔｈ（登録商標）（以下、ＢＴと称する）通信機能を有する車載装置が搭載されている車両の車室内にＢＴ通信機能を有する携帯電話機が持込まれると、車載装置と携帯電話機との間でＢＴの通信規格により定義されているハンズフリー通話を実現するためのハンズフリー・プロファイル（ＨＦＰ）を接続する構成が開示されている（例えば特許文献１参照）。
【先行技術文献】
【特許文献】
【０００３】
【特許文献１】特開２００２−２２３２８８号公報
【発明の概要】
【発明が解決しようとする課題】
【０００４】
携帯電話機の機能として電話帳データを登録する機能があり、携帯電話機に登録されている電話帳データの車載装置への転送を実現するためのプロファイルとしてフォンブック・アクセス・プロファイル（ＰＢＡＰ）がある。出願人は、これらＨＦＰ及びＰＢＡＰの機能に着目し、車載装置と携帯電話機との間でＨＦＰとＰＢＡＰとを同時接続（所謂マルチ接続）する構成を検討している。
【０００５】
ところで、車載装置と携帯電話機との間でＰＢＡＰを接続すると、ＰＢＡＰの接続処理を開始した時点で携帯電話機に登録されている最新の電話帳データが車載装置に自動的に転送される。そのため、車載装置と携帯電話機との間でＨＦＰの接続処理を完了したがＰＢＡＰの接続処理を完了していない状態で通信網から携帯電話機への着信が発生すると、携帯電話機では電話帳データを参照することで着信電話番号に対応して登録されている登録名（例えば氏名等）が表示されるが、車載装置では携帯電話機から最新の電話帳データが転送されていないが故に着信電話番号だけが表示され、携帯電話機に登録されている登録名が表示されないという事態が発生するという問題がある。
【０００６】
即ち、車載装置と携帯電話機との間ではＨＦＰ以外にＰＢＡＰやＢＴの通信規格により定義されているメール転送を実現するためのメッセージ・アクセス・プロファイル（ＭＡＰ）や音楽データの転送を実現するためのオーディオ・ビデオ・プロファイル（ＡＶＰ）をも同時接続可能であるが、それら複数のプロファイルを順次接続する場合に、ＨＦＰの接続処理を完了してからＰＢＡＰの接続処理を完了するまでの期間が長いと、上記した問題が起こり得ることになり、利便性に劣るという問題がある。
【０００７】
本発明は、上記した事情に鑑みてなされたものであり、その目的は、携帯電話機との間でハンズフリー通話を実現するためのハンズフリー通話プロトコルと携帯電話機からハンズフリー機能付き車載装置への電話帳データの転送を実現するための電話帳データ転送プロトコルとを同時接続する場合に、携帯電話機に登録されている最新の電話帳データを適切にハンズフリー機能付き車載装置に反映させることができ、利便性を高めることができるハンズフリー機能付き車載装置を提供することにある。
【課題を解決するための手段】
【０００８】
請求項１に記載したハンズフリー機能付き車載装置によれば、接続手段は、携帯電話機との間でハンズフリー通話を実現するためのハンズフリー通話プロトコルと携帯電話機からハンズフリー機能付き車載装置への電話帳データの転送を実現するための電話帳データ転送プロトコルとを同時接続可能であり、制御手段は、接続手段と携帯電話機との間でハンズフリー通話プロトコルと電話帳データ転送プロトコルとを接続させる場合に、ハンズフリー通話プロトコルの接続処理を完了した後に電話帳データ転送プロトコルを除く他のプロトコルの接続処理を挟むことなく電話帳データ転送プロトコルの接続処理を開始する。
【０００９】
これにより、ハンズフリー通話プロトコルの接続処理を完了してから電話帳データ転送プロトコルの接続処理を開始するまでの期間を極力短くすることができ、携帯電話機に登録されている最新の電話帳データを適切にハンズフリー機能付き車載装置に反映させることができ、利便性を高めることができる。
【００１０】
請求項２に記載したハンズフリー機能付き車載装置によれば、接続手段は、携帯電話機との間でハンズフリー通話プロトコルと電話帳データ転送プロトコルとに加えて携帯電話機からハンズフリー機能付き車載装置への電子メールの転送を実現するためのメール転送プロトコルをも同時接続可能であり、制御手段は、接続手段と携帯電話機との間でハンズフリー通話プロトコルと電話帳データ転送プロトコルとメール転送プロトコルとを接続させる場合に、ハンズフリー通話プロトコルの接続処理を完了した後に電話帳データ転送プロトコルを除く他のプロトコルの接続処理を挟むことなく電話帳データ転送プロトコルの接続処理を開始し、電話帳データ転送プロトコルの接続処理を完了した後にメール転送プロトコルの接続処理を開始する。
【００１１】
これにより、電話帳データ転送プロトコルの接続処理を完了した後にメール転送プロトコルの接続処理を開始することにより、携帯電話機からハンズフリー機能付き車載装置に電子メールを転送するアプリケーションを実現することができる。
【００１２】
請求項３に記載したハンズフリー機能付き車載装置によれば、制御手段は、接続手段と携帯電話機との間で接続しているハンズフリー通話プロトコルと電話帳データ転送プロトコルとメール転送プロトコルとを切断する場合に、ハンズフリー通話プロトコルの切断処理を完了した後にメール転送プロトコルを除く他のプロトコルの接続処理を挟むことなくメール転送プロトコルの切断処理を開始し、メール転送プロトコルの切断処理を完了した後に電話帳データ転送プロトコルの切断処理を開始する。
【００１３】
これにより、ハンズフリー通話プロトコル及びメール転送プロトコルの一方を接続している一方で他方を切断している状況を極力抑えることで、着信の種別により通知元の機器が異なる状況を極力回避することができ、通信網から携帯電話機への着信を携帯電話機からユーザに対して通知してしまうことを極力回避することができ、利便性を高めることができる。
【００１４】
請求項４に記載したハンズフリー機能付き車載装置によれば、制御手段は、接続手段と携帯電話機との間で接続しているハンズフリー通話プロトコルと電話帳データ転送プロトコルとメール転送プロトコルとを切断する場合に、メール転送プロトコルの切断処理を完了した後にハンズフリー通話プロトコルを除く他のプロトコルの接続処理を挟むことなくハンズフリー通話プロトコルの切断処理を開始し、ハンズフリー通話プロトコルの切断処理を完了した後に電話帳データ転送プロトコルの切断処理を開始する。
【００１５】
これにより、上記した請求項３に記載したものと同様にして、ハンズフリー通話プロトコル及びメール転送プロトコルの一方を接続している一方で他方を切断している状況を極力抑えることで、着信の種別により通知元の機器が異なる状況を極力回避することができ、通信網から携帯電話機への着信を携帯電話機からユーザに対して通知してしまうことを極力回避することができ、利便性を高めることができる。
【図面の簡単な説明】
【００１６】
【図１】本発明の一実施形態を示す機能ブロック図
【図２】フローチャート（その１）
【図３】フローチャート（その２）
【図４】フローチャート（その３）
【発明を実施するための形態】
【００１７】
以下、本発明の一実施形態について、図面を参照して説明する。尚、ここでは、Ｂｌｕｅｔｏｏｔｈ（登録商標）（以下、ＢＴと称する）通信機能を有するＢＴ対応の車載ハンズフリー装置（本発明でいうハンズフリー機能付き車載装置）が搭載されている車両の車室内に、ＢＴ通信機能を有するＢＴ対応の携帯電話機が車室内に持込まれ、車載ハンズフリー装置と携帯電話機とがＢＴ通信可能な状態にある場合を説明する。
【００１８】
車載ハンズフリーシステム１は、車載ハンズフリー装置２と携帯電話機３とから構成されている。車載ハンズフリー装置２は、制御部４（本発明でいう制御手段）と、ＢＴインタフェース（ＩＦ）部５（本発明でいう接続手段）と、通話音声処理部６と、記憶部７と、表示制御部８と、タッチ操作入力部９とを備えて構成されている。
【００１９】
制御部４は、周知のマイクロコンピュータからなるＣＰＵ、ＲＡＭ、ＲＯＭ及びＩ／Ｏバス等を有し、車載ハンズフリー装置２の通信動作やデータ管理動作等の動作全般を制御する。ＢＴインタフェース部５は、携帯電話機３との間でＢＴ通信を行う機能を有し、ＢＴの通信規格により定義されているハンズフリー通話を実現するためのハンズフリー・プロファイル（ＨＦＰ）（本発明でいうハンズフリー通話プロトコル）と、電話帳データや発信履歴データや着信履歴データの転送を実現するためのフォンブック・アクセス・プロファイル（ＰＢＡＰ）（本発明でいう電話帳データ転送プロトコル）と、メール転送を実現するためのメッセージ・アクセス・プロファイル（ＭＡＰ）（本発明でいうメール転送プロトコル）とに対応しており、それらプロファイルを同時接続（所謂マルチ接続）可能に構成されている。
【００２０】
尚、ここでいうメールとは周知のコンピュータネットワークを通じて交換される文字メッセージや画像データ等の総称である。又、ＢＴインタフェース部５は、これらＨＦＰやＰＢＡＰやＭＡＰの他に、音楽データの転送を実現するためのオーディオ・ビデオ・プロファイル（ＡＶＰ）や各種データの転送を実現するためのオブジェクト・プッシュ・プロファイル（ＯＰＰ）等にも対応している。これらプロファイルは、機能毎に定義された通信プロトコルを意味している。
【００２１】
通話音声処理部６には車室内にあって例えばハンドルの近傍等のユーザが発した音声を集音し易い部位に配置されているマイクロホン１０が接続されていると共に、車載ハンズフリー装置２の外部に配置されているオーディオアンプ１１が接続されており、オーディオアンプ１１には２個のスピーカ１２，１３が接続されている。スピーカ１２，１３は車載ハンズフリー装置２を搭載している車両の全長方向を対称中心して左右対称に配置されており、スピーカ１２は例えば運転席ドアに配置され、スピーカ１３は例えば助手席ドアに配置されている。又、オーディオアンプ１１にはチューナーデッキ１４も接続されており、オーディオアンプ１１はチューナーデッキ１４が例えば音楽用記録媒体から再生した楽曲音やラジオ放送局から受信したラジオ番組を当該チューナーデッキ１４から入力すると、それら入力した楽曲音やラジオ番組を増幅してスピーカ１２，１３から出力させる。
【００２２】
記憶部７は、各種データを記憶可能に構成されており、例えば電話番号と登録名との対応を表す電話帳データ、車載ハンズフリー装置２からの発信動作又は当該車載ハンズフリー装置２との間でＨＦＰを接続している携帯電話機３からの発信動作に係る発信時刻と発信電話番号との対応を表す発信履歴データ、車載ハンズフリー装置２との間でＨＦＰを接続している携帯電話機３の着信動作に係る着信時刻と着信電話番号との対応を表す着信履歴データ等を記憶可能に構成されている。
【００２３】
ディスプレイ装置１５は、各種表示画面を表示する表示装置１６と、表示画面上にタッチスイッチを形成するタッチ操作入力装置１７とを備えて構成されている。表示制御部８は、制御部４から表示指令通知を入力すると、その入力した表示指令通知に基づいてディスプレイ装置１５における表示装置１６の表示動作を制御する。タッチ操作入力部９は、ユーザが表示画面上に形成されているタッチスイッチを操作したことに応じてタッチ操作入力装置１７から操作検出通知を入力すると、その入力した操作検出通知を制御部４に出力し、制御部４は、タッチ操作入力部９から入力した操作検出通知を解析する。
【００２４】
携帯電話機３は、自機の動作全般を制御する制御部、通信網１８との間で電話通信を行う電話通信部、ＢＴ通信を行うＢＴインタフェース部、ユーザが操作する各種キーが配列されてなるキー入力部、例えば電話番号と登録名との対応を表す電話帳データ等の各種データを記憶する記憶部、各種表示画面を表示する表示部、ユーザが発した音声を入力するマイクロホン、通話相手から受信した音声を受話音声として出力するスピーカを備えて構成されている。この場合、携帯電話機３のＢＴインタフェース部は、車載ハンズフリー装置２との間でＢＴ通信を行う機能を有し、車載ハンズフリー装置２のＢＴインタフェース部５と同様にしてＨＦＰとＰＢＡＰとＭＡＰとに対応しており、車載ハンズフリー装置２との間でＨＦＰとＰＢＡＰとＭＡＰとを同時接続可能に構成されている。
【００２５】
上記した構成では、車載ハンズフリー装置２と携帯電話機３との間でＨＦＰを接続している状況で通信網１８から携帯電話機３への音声着信が発生すると、音声着信音がスピーカ１２，１３から出力されたり音声着信画面が表示装置１６に表示されたりすることで、音声着信が車載ハンズフリー装置２からユーザに対して通知され、車載ハンズフリー装置２と携帯電話機３との間でＭＡＰを接続している状況で通信網１８から携帯電話機３へのメール着信が発生すると、メール着信音がスピーカ１２，１３から出力されたりメール着信画面が表示装置１６に表示されたりすることで、メール着信が車載ハンズフリー装置２からユーザに対して通知される。
【００２６】
次に、上記した構成の作用について、図２乃至図４を参照して説明する。図２は車載ハンズフリー装置２が携帯電話機３との間でプロファイルを接続するプロファイル接続処理を示しており、図３及び図４は車載ハンズフリー装置２が携帯電話機３との間でプロファイルを切断するプロファイル切断処理を示している。以下、これらプロファイル接続処理及びプロファイル切断処理を順次説明する。尚、ここでは、車載ハンズフリー装置２と携帯電話機３とが両者の間でＨＦＰとＰＢＡＰとＭＡＰとを同時接続する場合について説明する。
【００２７】
（１）プロファイル接続処理
車載ハンズフリー装置２において、制御部４は、プロファイル接続処理を開始すると、
ＨＦＰの接続要求（ＨＦＰの登録要求）が発生したか否かを判定する（ステップＳ１）。ここで、制御部４は、ＨＦＰの接続要求が発生していない旨を判定すると（ステップＳ１にて「ＮＯ」）、プロファイル切断処理を完了して他の処理（例えばメイン処理）にリターンする。
【００２８】
さて、制御部４は、例えばＨＦＰ登録画面（図示せず）を表示装置１６に表示させている状態でユーザが所定キーを押下したことでＨＦＰの接続要求をタッチ操作入力装置１７で受付けた旨を判定し、ＨＦＰの接続要求が発生した旨を判定すると（ステップＳ１にて「ＹＥＳ」）、ＢＴインタフェース部５と携帯電話機３との間でＨＦＰを接続するＨＦＰの接続処理を開始する（ステップＳ２）。
【００２９】
具体的には、制御部４は、ＨＦＰの接続要求が発生した旨を判定すると、ＨＦＰの接続要求が発生した旨を携帯電話機３に通知し、携帯電話機３から送信された「ＰＩＮ要求」をＢＴインタフェース部５により受信した旨を判定すると、「ＰＩＮ応答要求」をＢＴインタフェース部５から携帯電話機３に送信させ、ユーザが携帯電話機３を操作してＰＩＮを入力する旨を待機する。次いで、制御部４は、ユーザが携帯電話機３を操作してＰＩＮを入力することで携帯電話機３から送信された「ＰＩＮ応答」、「リンクキー」、「認証結果」をＢＴインタフェース部５により順次受信した旨を判定すると、ＨＦＰと携帯電話機３を識別する識別情報（例えば電話番号）とを対応付け、ＨＦＰを携帯電話機３に対して登録する処理を開始する。
【００３０】
そして、制御部４は、ＨＦＰの接続処理を完了する旨を待機し（ステップＳ３）、ＨＦＰを携帯電話機３に対して登録する処理を完了し、ＨＦＰの接続処理を完了した旨を判定すると（ステップＳ３にて「ＹＥＳ」）、ＨＦＰ接続完了通知画面を表示装置１６に表示させることで、ＨＦＰの接続処理を完了した旨をユーザに対して通知する。
【００３１】
次いで、制御部４は、携帯電話機３が対応するプロファイルを問合せる「機能確認要求」をＢＴインタフェース部５から携帯電話機３に送信させ、携帯電話機３から送信された「機能応答」をＢＴインタフェース部５により受信し、携帯電話機３がＨＦＰの他にＰＢＡＰとＭＡＰとに対応している旨を判定すると、ＢＴインタフェース部５と携帯電話機３との間でＰＢＡＰを接続するＰＢＡＰの接続処理を開始し（ステップＳ４）、ＰＢＡＰを携帯電話機３に対して登録する処理を開始する。
【００３２】
そして、制御部４は、ＰＢＡＰの接続処理を完了する旨を待機し（ステップＳ５）、ＰＢＡＰを携帯電話機３に対して登録する処理を完了し、ＰＢＡＰの接続処理を完了した旨を判定すると（ステップＳ５にて「ＹＥＳ」）、ＰＡＢＰ接続完了通知画面を表示装置１６に表示させることで、ＰＢＡＰの切断処理を完了した旨をユーザに対して通知する。
【００３３】
次いで、制御部４は、ＭＡＰの接続要求（ＭＡＰ機能の登録要求）を問合せるＭＡＰ登録画面（図示せず）を表示装置１６に表示させる。そして、制御部４は、ＭＡＰ登録画面を表示装置１６に表示させている状態でユーザが所定キーを押下したことでＭＡＰの接続要求をタッチ操作入力装置１７で受付けた旨を判定すると、ＢＴインタフェース部５と携帯電話機３との間でＭＡＰの接続処理を開始する（ステップＳ６）。
【００３４】
具体的には、制御部４は、ユーザが所定キーを押下したことでＭＡＰの接続要求をタッチ操作入力装置１７で受付けた旨を判定すると、「ＰＩＮ応答要求」をＢＴインタフェース部５から携帯電話機３に送信させ、ユーザが携帯電話機３を操作してＰＩＮを入力する旨を待機する。次いで、制御部４は、ユーザが携帯電話機３を操作してＰＩＮを入力することで携帯電話機３から送信された「ＰＩＮ応答」をＢＴインタフェース部５により受信した旨を判定すると、ＭＡＰの接続処理を開始し、ＭＡＰを携帯電話機３に対して登録する処理を開始する。
【００３５】
そして、制御部４は、ＭＡＰの接続処理を完了する旨を待機し（ステップＳ７）、ＭＡＰを携帯電話機３に対して登録する処理を完了し、ＭＡＰの接続処理を完了した旨を判定すると（ステップＳ７にて「ＹＥＳ」）、ＭＡＰ接続完了通知画面を表示装置１６に表示させることで、ＭＡＰの切断処理を完了した旨をユーザに対して通知する。
【００３６】
以上に説明した一連の処理により、制御部４は、ＢＴインタフェース部５と携帯電話機３との間でＨＦＰとＰＢＡＰとＭＡＰとを接続する場合に、ＨＦＰ、ＰＢＡＰ、ＭＡＰの順序でプロファイルを接続する。尚、制御部４は、各プロファイルの接続処理の待機を解除する条件（例えば待機時間が予め設定している設定時間に到達する等）を設定しており、各プロファイルの接続処理を待機している期間中に当該条件を成立すると、各プロファイルの接続処理の待機を解除し（中止し）、別の処理に移行する。
【００３７】
（２）プロファイル切断処理
車載ハンズフリー装置２において、制御部４は、プロファイル切断処理を開始すると、ＨＦＰの切断要求が発生したか否かを判定する（ステップＳ１１）。ここで、制御部４は、ＨＦＰの切断要求が発生していない旨を判定すると（ステップＳ１１にて「ＮＯ」）、プロファイル切断処理を完了して他の処理（例えばメイン処理）にリターンする。
【００３８】
さて、制御部４は、例えばＨＦＰ登録解除画面（図示せず）を表示装置１６に表示させている状態でユーザが所定キーを押下したことでＨＦＰの切断要求（ＨＦＰの登録解除要求）をタッチ操作入力装置１７で受付けた旨を判定し、ＨＦＰの切断要求が発生した旨を判定すると（ステップＳ１１にて「ＹＥＳ」）、ＢＴインタフェース部５と携帯電話機３との間で接続しているＨＦＰの切断処理を開始し（ステップＳ１２）、ＨＦＰの切断処理を完了する旨を待機する（ステップＳ１３）。
【００３９】
次いで、制御部４は、携帯電話機３に対するＨＦＰの登録を解除し、ＨＦＰの切断処理を完了した旨を判定すると（ステップＳ１３にて「ＹＥＳ」）、続いて、ＢＴインタフェース部５と携帯電話機３との間で接続しているＭＡＰの切断処理を開始し（ステップＳ１４）、ＭＡＰの切断処理を完了する旨を待機する（ステップＳ１５）。次いで、制御部４は、携帯電話機３に対するＭＡＰの登録を解除し、ＭＡＰの切断処理を完了した旨を判定すると（ステップＳ１５にて「ＹＥＳ」）、続いて、ＢＴインタフェース部５と携帯電話機３との間で接続しているＰＢＡＰの切断処理を開始し（ステップＳ１６）、ＰＢＡＰの切断処理を完了する旨を待機する（ステップＳ１７）。そして、制御部４は、携帯電話機３に対するＰＢＡＰの登録を解除し、ＰＢＡＰの切断処理を完了した旨を判定すると（ステップＳ１７にて「ＹＥＳ」）、ファイル切断処理を完了して他の処理にリターンする。
【００４０】
以上に説明した一連の処理により、制御部４は、ＢＴインタフェース部５と携帯電話機３との間で接続しているＨＦＰとＰＢＡＰとＭＡＰとを切断する場合には、それらＨＦＰとＰＢＡＰとＭＡＰとを接続したときの順序とは異なり、ＨＦＰ、ＭＡＰ、ＰＢＡＰの順序でプロファイルを切断する。尚、制御部４は、各プロファイルの切断処理の待機を解除する条件（例えば待機時間が予め設定している設定時間に到達する等）を設定しており、各プロファイルの切断処理を待機している期間中に当該条件を成立すると、各プロファイルの切断処理の待機を解除し（中止し）、別の処理に移行する。
【００４１】
ところで、以上は、先にＨＦＰの切断処理を行い、続けてＭＡＰの切断処理を行う場合を説明したが、先にＭＡＰの切断処理を行い、続けてＨＦＰの切断処理を行うようにしても良い。即ち、制御部４は、ＭＡＰの切断要求が発生した旨を判定すると（ステップＳ２１にて「ＹＥＳ」）、ＢＴインタフェース部５と携帯電話機３との間で接続しているＭＡＰの切断処理を開始し（ステップＳ２２）、ＭＡＰの切断処理を完了した旨を判定すると（ステップＳ２３にて「ＹＥＳ」）、続いて、ＢＴインタフェース部５と携帯電話機３との間で接続しているＨＦＰの切断処理を開始し（ステップＳ２４）、ＨＦＰの切断処理を完了した旨を判定すると（ステップＳ２５にて「ＹＥＳ」）、続いて、ＢＴインタフェース部５と携帯電話機３との間で接続しているＰＢＡＰの切断処理を開始し（ステップＳ２６）、ＰＢＡＰの切断処理を完了した旨を判定すると（ステップＳ２７にて「ＹＥＳ」）、ファイル切断処理を完了して他の処理にリターンするようにしても良い。
【００４２】
以上に説明したように本実施形態によれば、車載ハンズフリー装置２において、ＨＦＰ及びＰＢＡＰ以外にＭＡＰをも同時接続する場合に、ＨＦＰの接続処理を完了した後にＭＡＰの接続処理を挟むことなくＰＢＡＰの接続処理を開始するように構成したので、ＨＦＰの接続処理を完了してからＰＢＡＰの接続処理を完了するまでの期間を極力短くすることができ、携帯電話機３に登録されている最新の電話帳データを適切に反映させることができ、利便性を高めることができる。
【００４３】
又、携帯電話機３との間で同時接続しているＨＦＰとＰＢＡＰとＭＡＰとを切断する場合に、ＨＦＰの切断処理を完了した後にＰＢＡＰの切断処理を挟むことなくＭＡＰの切断処理を開始したり、ＭＡＰの切断処理を完了した後にＰＢＡＰの切断処理を挟むことなくＨＦＰの切断処理を開始したりするように構成したので、ＨＦＰ及びＭＡＰのうち一方を接続しているが他方を切断している状況を極力抑えることで、音声着信とメール着信とで通知元の機器が異なる状況を極力回避することができ、通信網１８から携帯電話機３への着信を携帯電話機３からユーザに対して通知してしまうことを回避することができ、利便性を高めることができる。
【００４４】
本発明は、上記した実施形態にのみ限定されるものではなく、以下のように変形又は拡張することができる。
車載ハンズフリー装置の機能が例えば車載ナビゲーション装置等の別の車載装置に組み込まれていても良い。
ＢＴインタフェース部と携帯電話機との間でＨＦＰを接続した後に、「機能確認要求」を携帯電話機に送信させ、携帯電話機から送信された「機能応答」を受信することで、携帯電話機がＨＦＰの他にＰＢＡＰとＭＡＰとに対応している旨を判定する構成に限らず、「機能確認要求」を携帯電話機に送信させることなく、携帯電話機から自発的に送信された「機能応答」を受信することで、携帯電話機がＨＦＰの他にＰＢＡＰとＭＡＰとに対応している旨を判定する構成であっても良い。
【００４５】
ＨＦＰの接続処理を完了した後に他のプロファイルの接続処理を挟むことなくＰＢＡＰの接続処理を開始する構成であれば、ＰＢＡＰの接続処理を完了した後はどのような順序でプロファイルの接続処理を行っても良い。
ＨＦＰの切断処理を完了した後に他のプロファイルの切断処理を挟むことなくＭＡＰの切断処理を開始する構成であれば、ＭＡＰの切断処理を完了した後はどのような順序でプロファイルの切断処理を行っても良く、又、ＭＡＰの切断処理を完了した後に他のプロファイルの切断処理を挟むことなくＨＦＰの切断処理を開始する構成であれば、ＨＦＰの切断処理を完了した後はどのような順序でプロファイルの切断処理を行っても良い。即ち、通信網から携帯電話機への着信を通知するプロファイルの切断処理を続けて行えば、他のプロファイルの切断処理はどのような順序で行っても良い。
【符号の説明】
【００４６】
図面中、１は車載ハンズフリーシステム、２は車載ハンズフリー装置（ハンズフリー機能付き車載装置）、３は携帯電話機、４は制御部（制御手段）、５はＢＴインタフェース部（接続手段）、１８は通信網である。
【図１】
2010187289.tif 000003
【図２】
2010187289.tif 000004
【図３】
2010187289.tif 000005
【図４】
2010187289.tif 000006